(57)【特許請求の範囲】
【請求項１】
側方に流入口、流出口、下端に排水口を位置させ、内部に逆流防止弁を収容する弁箱内を、ピストンが上下動して通止水、排水を行う水抜弁において、ピストン内部に逆流防止弁上流の流入口側から排水口に至る連通路を穿ち、その途中に、流入口側に大径の摺動面を、排水口側に小径の排水弁座を有し、側方にもうける導入孔を介して流出口と導通する排水室を形成し、その内部に、上記摺動面に嵌合するとともに、排水弁座を閉塞する排水弁を収容してなる逆流防止型水抜弁。
【発明の詳細な説明】
【０００１】
【発明の属する技術分野】
本発明は、逆流防止型水抜弁に関し、特に、逆流防止を一層確実ならしめた水抜弁に関する。
【０００２】
【従来の技術】
従来、この種の水抜弁には、弁箱の流入口や流出口内に逆流防止弁を収容したもの、あるいは同一出願人による特願平６ー７９４８０号公報のもののように、修理、点検を容易に行えるよう、ピストンの細径部にばねにより押圧された逆流防止弁を別体に装着したもの等、いろいろな種類のものが使用されてきている。しかし、上記のものにあっては、逆流防止弁のパッキンが損傷したり、パッキンに異物がはさまったりしたような場合、逆流を阻止する手段がなく、特に、最近普及がめざましい、直結給水用として使用するには、信頼性に問題があった。
【０００３】
【発明が解決しようとする課題】
そのため本発明は、パッキンが損傷しても逆流が生じにくい、より信頼性に優れた逆流防止型水抜弁を提供することを目的とする。
【０００４】
【課題を解決するための手段】
上記目的を達成するため本発明は、ピストン内部に逆流防止弁上流の流入口側から排水口に至る連通路を穿ち、その途中に、流入口側に大径の摺動面を、排水口側に小径の排水弁座を有し、側方にもうける導入孔を介して流出口と導通する排水室を形成し、その内部に、上記摺動面に嵌合するとともに、上記排水弁座を閉塞する排水弁を収容してなり、本管側に断水等により負圧が発生した場合は、上記摺動面と排水弁座の面積差による流出側圧力を受けて排水弁が排水弁座を開放し、流出口側配管内の水を排水口から排出できるようにしたものである。
【０００５】
【発明の実施の形態】
実施例においてはピストンに逆流防止弁を装着した例を示しているが、これは例えば同一出願ににおける実公昭６０ー５３１０号公報のように流出口にも収容することができる。
【０００６】
ピストンを下降させて排水状態にしているが、逆に上昇させて排水するようにすれば逆流防止弁に止水の働きを有せしめることもできる。
【０００７】
操作桿をねじで上下動させる代わりに、カム、レバー等で上下動させ、ハンドル回転数を少なくしても良く、モーターを用いて電気的に遠隔操作するようにもできる。排水口に地中からの汚水の逆流を防止する逆止弁をとりつければ、不凍給水栓の弁箱としても使用できる。
【０００８】
【実施例】
実施例について図面を参照して説明すると、図１において、１は弁箱であり、側壁に流入口２、流出口３を、下端に排水口４をもうけている。内部には、流入口２の上方にシリンダ５を、流入口２と流出口３間にシリンダ６を、流出口３と排水口４間にシリンダ７を同軸上に形成する。
【０００９】
上端に、操作部本体８を接続、固定し、その内部に作動用雄ねじ９を有する操作桿１０を収容し、操作桿１０の下端にピストン１１を回転自在に連結し、上端にはハンドル１２を取り付ける。
【００１０】
ピストン１１には上記シリンダ５、６、７をそれぞれ摺動する環状パッキン１３、１４、１５を装着し、環状パッキン１４、１５間に形成される細径部１６に、外側逆止パッキン１７、内側逆止パッキン１８を装着するとともに、ばね１９により上向きに押圧された逆止弁体２０をもうけて逆流防止弁２１を形成する。外側逆止パッキン１７および内側逆止パッキン１８は断面Ｙ状の１方向密封性のパッキンを使用して、摺動抵抗をできるだけ小さくするようにしている。
【００１１】
ピストン１１内部に、環状パッキン１４と逆流防止弁２１間から排水口４に至る連通路２２を穿ち、その途中に、導入孔２３を介して流出口３と導通し、内部流入口側に大径の摺動面２４を、排水口側に小径の排水弁座２５を有する排水室２６を形成し、内部に、上記摺動面２４に密着する、やはり断面Ｙ状の上部環状パッキン２７と、下端に排水弁座２５に密着する排水パッキン２８を装着する排水弁２９を収容する。３０はピストン１１の下降時のストッパーとなる突起である。
【００１２】
図は下流側配管末端の蛇口を閉じている状態、すなわち停水状態を示しているが、この状態で蛇口を開いたとき、流入口２からの水はばね１９を圧縮して逆止弁体２０を押し下げ、シリンダ６と細径部１６の間隙を通って流出口３から、図示しないが流出側配管へと流れ出る。この時には環状パッキン１３と１５がシリンダ５、７に、排水パッキン２８が排水弁座２５に密着しており、他所への流出はない。
【００１３】
通水状態で、本管側の断水等による負圧が発生したときには、ばね１９の復元力により逆止弁体２０は直ちに上昇し、内側逆止パッキン１８は細径部１６に、外側逆止パッキン１７はシリンダ６に密着し、逆流を防止するが、同時に、連通路２２内も負圧状態になるので、摺動面２４と排水弁座２５の面積差により、排水弁２９は導入孔２３からの流出側圧力に押圧されて上昇し、排水パッキン２８は排水弁座２５から離脱して、流出側配管内の水を排水口４から排出する。勿論この時には上部環状パッキン２７により、流出側配管内の水が流入口２側に逆流することはない。すなわち、逆止パッキン１７、１８に異物がはさまったり、損傷したようなときにも本管側への逆流を有効に防止し得ることになる。負圧状態が解消されたときには、連通路２２からの圧力水を受けて排水弁３０は再び排水弁座２５を閉塞する。
【００１４】
次に、冬、管内の水抜きをするときは、図の状態からハンドル１２を回転させればよく、操作桿１０は作動用雄ねじ９により回転しながら下降し、それに伴ってピストン１１は回転することなく下降し、まず、環状パッキン１４がシリンダ６に密着して流入口２からの水を遮断する。その後で環状パッキン１５がシリンダ７から離脱し、さらに下降してピストン１１の下端が突起３０に当接して下降を停止し、流出側配管内の水はシリンダ７とピストン１１の外周の間隙を通って排水口４から排出され、管内は空になるので、凍結は防止される。
【００１５】
なお、冬、水を落とし忘れて管内が凍結し、異常圧力が発生したときに、逆流防止弁２１の働きにより、異常圧力が本管側に逃げることができず、管の破損等につながる事故も発生していたが、本実施例においては、流出側配管内の圧力が上昇し、排水弁２９を持ち上げようとする力が流入口２側の排水弁を下降させようとする力に打ち勝ったとき、排水パッキン２８が排水弁座２５から離脱して異常圧力を排水口４へと逃がすため、上記のような事故は生じない。
【００１６】
図２に本発明の排水弁の他の実施例を示しているが、排水弁２９は上下端に同一のＯリングを装着し、上部環状パッキン２７、排水パッキン２８としている。しかし、これはピストン側に装着しても良いし（この場合はＯリングが弁座となる）、場合によっては上部環状パッキン２７は省略することも可能である。
【００１７】
【発明の効果】
上述したように本発明の水抜弁にあっては、本管側に負圧が生じた場合には排水弁が開いて、流出側配管内の水を排水口に排出するため、逆止パッキンが損傷したような場合にあっても、それだけ本管側に汚水が吸引される可能性が少なくなり、より信頼性が向上するという効果の他に、凍結や水撃作用による異常圧力上昇によって配管が破損されるのを防止できる、という利点も併せ有する。
【図面の簡単な説明】
【図１】本発明の１実施例を示す、停水状態における縦断面図である。
【図２】本発明の排水弁の他の実施例を示す、要部縦断面図である。
【符号の説明】
１              弁箱                  ２              流入口
３              流出口                ４              排水口
５、６、７      シリンダ              ８              操作部本体
９              作動用雄ねじ        １０              操作桿
１１              ピストン            １２              ハンドル
１３、１４、１５  環状パッキン        １６              細径部
１７              外側逆止パッキン    １８              内側逆止パッキン１９              ばね                ２０              逆止弁体
２１              逆流防止弁          ２２              連通路
２３              導入孔              ２４              摺動面
２５              排水弁座            ２６              排水室
２７              上部環状パッキン    ２８              排水パッキン
２９              排水弁              ３０              突起
【図１】
0003918227.tif 000002
【図２】
0003918227.tif 000003